(57)【特許請求の範囲】
【請求項１】
右眼用シャッター及び左眼用シャッターを備えた立体視用眼鏡と共に用いられ、複数のフィールドからなるフレームごとに右眼用画像と左眼用画像とを順次表示する電気光学装置であって、
電気光学素子を用いて画像を表示する表示部と、
一のフレームの第１画像データと前記第１画像データの一つ前のフレームの第２画像データとに基づいて、前記電気光学素子の応答特性を補正する第１補正画像データを生成する第１補正画像データ生成部と、
前記第１画像データと前記第２画像データとに基づいて、右眼用画像と左目用画像との混在によるクロストークを補正する第２補正画像データを生成する第２補正画像データ生成部と、
前記フレームを構成する複数のフィールドのうち、第１番目のフィールドは前記第１補正画像データを選択し、第２番目以降のフィールドでは前記第２補正画像データを選択する選択部と、
前記第１画像データを前記選択部から出力されるデータで補正して出力画像データを生成して前記表示部に供給する補正部と、
前記右眼用シャッター及び前記左眼用シャッターの開閉を制御する制御信号を生成する制御部と、
を備える電気光学装置。
【請求項２】
前記第１補正画像データ生成部は、前記第１番目のフィールドの開始から前記第１補正画像データを前記表示部に供給した場合に、前記第１番目のフィールドが終了した時点で前記電気光学素子の光学特性が、前記第１画像データの示す階調に応じた値となるように前記第１画像データ及び前記第２画像データと、前記第１補正画像データとを対応づけて記憶した第１補正テーブルを備え、前記第１補正テーブルを参照して前記第１画像データ及び前記第２画像データに対応づけられた前記第１補正画像データを読み出す、
ことを特徴とする請求項１に記載の電気光学装置。
【請求項３】
前記第１補正画像データ生成部は、前記第１番目のフィールドの開始から前記第１補正画像データを前記表示部に供給した場合に、前記第１番目のフィールドが終了した時点で前記電気光学素子の光学特性が、前記第１画像データの示す階調に応じた値となるように、前記第１画像データ及び前記第２画像データをパラメータとする演算を実行して、前記第１補正画像データを生成することを特徴とする請求項１に記載の電気光学装置。
【請求項４】
前記第２補正画像データ生成部は、第２番目のフィールドの開始から前記第２補正画像データを前記表示部に供給した場合に、前記右眼用シャッター及び前記左眼用シャッターのうち一方のシャッターを通して前記表示部で表示される画像を観察した場合に、他方のシャッターを通して観察される画像成分が最小となるように、前記第１画像データ及び前記第２画像データと、前記第２補正画像データとを対応づけて記憶した第２補正テーブルを備え、前記第２補正テーブルを参照して前記第１画像データ及び前記第２画像データに対応づけられた前記第２補正画像データを読み出す、
ことを特徴とする請求項１乃至３のうちいずれか１項に記載の電気光学装置。
【請求項５】
前記第２補正テーブルは、複数の個別補正テーブルを含み、
前記第２補正画像データ生成部は、前記複数の個別補正テーブルの中から、前記立体視用眼鏡の種類に対応して選択した一つの個別補正テーブルを選択し、選択した個別補正テーブルを用いて前記第２補正画像データを生成する、
ことを特徴とする請求項４に記載の電気光学装置。
【請求項６】
前記立体視用眼鏡は、前記立体視用眼鏡の種類を示す識別信号を出力し、
前記第２補正画像データ生成部は、前記識別信号に応じて前記複数の個別補正テーブルの中から一つの個別補正テーブルを選択することを特徴とする請求項５に記載の電気光学装置。
【請求項７】
前記第２補正画像データ生成部は、第２番目のフィールドの開始から前記第２補正画像データを前記表示部に供給した場合に、前記右眼用シャッター及び前記左眼用シャッターのうち一方のシャッターを通して前記表示部で表示される画像を観察した場合に、他方のシャッターを通して観察される画像成分が最小となるように、前記第１画像データ及び前記第２画像データをパラメータとする演算を実行して前記第２補正画像データを生成する、
ことを特徴とする請求項１乃至３のうちいずれか１項に記載の電気光学装置。
【請求項８】
前記第２補正画像データ生成部は、前記立体視用眼鏡から、前記右眼用シャッター及び前記左眼用シャッターの応答特性に関する情報を取得し、取得した情報と前記第１画像データ及び前記第２画像データとをパラメータとする演算を実行して前記第２補正画像データを生成する、
ことを特徴とする請求項７に記載の電気光学装置。
【請求項９】
請求項１乃至８のうちいずれか１項に記載の電気光学装置を備えることを特徴とする電子機器。
【発明の詳細な説明】
【技術分野】
【０００１】
本発明は、観察者が立体感を知覚するように相互に視差が付与された右眼用画像と左眼用画像とを表示する技術に関連する。
【背景技術】
【０００２】
右眼用画像と左眼用画像とを時分割で交互に表示するフレームシーケンシャル方式の立体視方法が従来から提案されている。この方式では、右眼用画像及び左眼用画像の一方が他方に書き換えられる期間では右眼用画像と左眼用画像とが混在するクロストークが発生するから、観察者が画像を視認すると立体視画像を明確に認識することが困難になる。
この問題を解消するため、例えば特許文献１には、右眼用画像を表示する場合に左眼用画像からのクロストークを予め補正し、左眼用画像を表示する場合に右眼用画像からのクロストークを予め補正する技術が開示されている。
画像を表示する表示装置に液晶を用いる場合、液晶の透過率は緩やかに変化する。このため、上述した補正でもクロストークを十分抑圧することができない。そこで、特許文献２には、右眼用画像及び左眼用画像の一方を他方に書き換える期間（すなわち右眼用画像と左眼用画像とが混在する期間）において立体視用眼鏡の右眼用シャッター及び左眼用シャッターの双方を閉状態として観察者に画像を視認させない技術が提案されている。
【先行技術文献】
【特許文献】
【０００３】
【特許文献１】特開２００１−５４１４３号公報
【特許文献２】特開２００９−２５４３６号公報
【発明の概要】
【発明が解決しようとする課題】
【０００４】
しかしながら、特許文献２に記載の技術では、利用者が実際に画像を視認できる期間が、右単位期間及び左単位期間の各々における後半期間（すなわち約半分）に制限される。したがって、表示画像の明度を充分に確保することが困難であるという問題がある。
以上の事情を考慮して、本発明は、右眼用画像と左眼用画像との混在が利用者に知覚されることを抑制しながら表示画像の明るさを向上させることを解決課題とする。
【課題を解決するための手段】
【０００５】
以上の課題を解決するために、本発明の電気光学装置は、右眼用シャッター及び左眼用シャッターを備えた立体視用眼鏡と共に用いられ、複数のフィールドからなるフレームごとに右眼用画像と左眼用画像とを順次表示するものであって、電気光学素子を用いて画像を表示する表示部と、一のフレームの第１画像データと前記第１画像データの一つ前のフレームの第２画像データとに基づいて、前記電気光学素子の応答特性を補正する第１補正画像データを生成する第１補正画像データ生成部と、前記第１画像データと前記第２画像データとに基づいて、右眼用画像と左目用画像との混在によるクロストークを補正する第２補正画像データを生成する第２補正画像データ生成部と、前記フレームを構成する複数のフィールドのうち、第１番目のフィールドは前記第１補正画像データを選択し、第２番目以降のフィールドでは前記第２補正画像データを選択する選択部と、前記第１画像データを前記選択部から出力されるデータで補正して出力画像データを生成して前記表示部に供給する補正部と、前記右眼用シャッター及び前記左眼用シャッターの開閉を制御する制御信号を生成する制御部と、を備える。
【０００６】
この発明によれば、第１補正画像データを用いることによって、輝度を確保するとともに、第２補正画像データによって、クロストークを抑圧することができる。その結果、右眼用画像と左眼用画像との混在が利用者に知覚されることを抑制しながら表示画像の明るさを向上させることが可能となる。
また、第１補正画像データ生成部と第２補正画像データ生成部とを独立して設けたので、右眼用シャッター及び左眼用シャッターの特性が変更されても、第２補正画像データ生成部のみを新たに設計すればよいので、設計の自由度を向上させることができる。
【０００７】
ここで、前記第１補正画像データ生成部は、前記第１番目のフィールドの開始から前記第１補正画像データを前記表示部に供給した場合に、前記第１番目のフィールドが終了した時点で前記電気光学素子の光学特性が、前記第１画像データの示す階調に応じた値となるように前記第１画像データ及び前記第２画像データと、前記第１補正画像データとを対応づけて記憶した第１補正テーブルを備え、前記第１補正テーブルを参照して前記第１画像データ及び前記第２画像データに対応づけられた前記第１補正画像データを読み出す  ことが好ましい。
【０００８】
この発明によれば、テーブルを用いて第１補正画像データを生成するので、高速の応答が可能となる。さらに、第１番目のフィールドが終了した時点で電気光学素子の光学特性が、第１画像データの示す階調に応じた値となるように補正することができる。特に、右眼用シャッター及び左眼用シャッターが第１番目のフィールドで同時に閉状態となる場合には、閉状態のうちに階調を適正値に制御するから、輝度を十分確保することができる。
【０００９】
上述した電気光学装置において、前記第１補正画像データ生成部は、前記第１番目のフィールドの開始から前記第１補正画像データを前記表示部に供給した場合に、前記第１番目のフィールドが終了した時点で前記電気光学素子の光学特性が、前記第１画像データの示す階調に応じた値となるように、前記第１画像データ及び前記第２画像データをパラメータとする演算を実行して、前記第１補正画像データを生成することが好ましい。この場合には、演算によって第１補正画像データを生成することが可能となる。
【００１０】
上述した電気光学装置において、前記第２補正画像データ生成部は、第２番目のフィールドの開始から前記第２補正画像データを前記表示部に供給した場合に、前記右眼用シャッター及び前記左眼用シャッターのうち一方のシャッターを通して前記表示部で表示される画像を観察した場合に、他方のシャッターを通して観察される画像成分が最小となるように、前記第１画像データ及び前記第２画像データと、前記第２補正画像データとを対応づけて記憶した第２補正テーブルを備え、前記第２補正テーブルを参照して前記第１画像データ及び前記第２画像データに対応づけられた前記第２補正画像データを読み出すことが好ましい。
【００１１】
この発明によれば、テーブルを用いて第２補正画像データを生成するので、高速の応答が可能となる。さらに、他方のシャッターを通して観察される画像成分が最小となるように第２補正画像データを記憶した第２補正テーブルを備えるので、クロストークを低減することができる。
【００１２】
さらに、前記第２補正テーブルは、複数の個別補正テーブルを含み、前記第２補正画像データ生成部は、前記複数の個別補正テーブルの中から、前記立体視用眼鏡の種類に対応して選択した一つの個別補正テーブルを選択し、選択した個別補正テーブルを用いて前記第２補正画像データを生成することが好ましい。この場合には、複数種類の立体視用眼鏡に対応することができる。
【００１３】
くわえて、前記立体視用眼鏡は、前記立体視用眼鏡の種類を示す識別信号を出力し、前記第２補正画像データ生成部は、前記識別信号に応じて前記複数の個別補正テーブルの中から一つの個別補正テーブルを選択することが好ましい。この場合には、自動的に個別補正テーブルを選択することができる。
【００１４】
上述した電気光学装置において、前記第２補正画像データ生成部は、第２番目のフィールドの開始から前記第２補正画像データを前記表示部に供給した場合に、前記右眼用シャッター及び前記左眼用シャッターのうち一方のシャッターを通して前記表示部で表示される画像を観察した場合に、他方のシャッターを通して観察される画像成分が最小となるように、前記第１画像データ及び前記第２画像データをパラメータとする演算を実行して前記第２補正画像データを生成することが好ましい。この場合には、演算で第２補正画像データを生成することができる。
【００１５】
さらに、前記第２補正画像データ生成部は、前記立体視用眼鏡から、前記右眼用シャッター及び前記左眼用シャッターの応答特性に関する情報を取得し、取得した情報と前記第１画像データ及び前記第２画像データとをパラメータとする演算を実行して前記第２補正画像データを生成することが好ましい。この場合には、汎用性をより一層向上させることができる。特に、性能が改善された立体視用眼鏡が後から開発された場合にも、これに対応して第２補正画像データを生成することができる。
【００１６】
以上の各態様に係る電気光学装置は、表示体として各種の電子機器に採用される。
【図面の簡単な説明】
【００１７】
【図１】本発明の第１実施形態に係る電子機器の構成図である。
【図２】本発明の画素回路の構成例を示す図である。
【図３】表示制御回路の構成を示すブロック図である。
【図４】第１補正テーブルのデータ構造を示す説明図である。
【図５】電気光学パネルの液晶の応答特性を示す説明図である。
【図６】第１補正画像データを説明するための説明図である。
【図７】第２補正画像データを説明するための説明図である。
【図８】第２実施形態に係る表示制御回路のブロック図である。
【図９】第３実施形態に係る表示制御回路のブロック図である。
【図１０】電子光学装置を用いた電子機器の例を示す図である。
【図１１】電子光学装置を用いた電子機器の例を示す図である。
【発明を実施するための形態】
【００１８】
＜１．第１実施形態＞
図１は、本発明の第１実施形態に係る電子機器Ｅのブロック図である。電子機器Ｅは、観察者に立体感を知覚させる立体視画像をフレームシーケンシャル方式で表示する。図１に示すとおり、電子機器Ｅは立体視用眼鏡１０と電気光学装置２０とを具備する。
【００１９】
図１の立体視用眼鏡１０は、電気光学装置２０が表示する立体視画像の視認時に観察者が装着する眼鏡型の器具であり、観察者の右眼の前方に位置する右眼用シャッター１２と左眼の前方に位置する左眼用シャッター１４とを含んで構成される。右眼用シャッター１２及び左眼用シャッター１４の各々は、照射光を透過させる開状態と照射光を遮断する閉状態とに制御される。例えば印加電圧に応じた液晶の配向方向に応じて開状態及び閉状態の一方から他方に変化する液晶シャッターが右眼用シャッター１２及び左眼用シャッター１４として採用され得る。
【００２０】
図１の電気光学装置２０は、電気光学パネル２４と制御回路２８とを具備する。電気光学パネル２４は、複数の画素回路４８が配列された画素部４２と、各画素回路４８を駆動する駆動回路４４とを具備する。画素部４２には、相交差するＭ本の走査線４６２とＮ本のデータ線４６４とが形成される（Ｍ及びＮは自然数）。各画素回路４８は、走査線４６２とデータ線４６４との各交差に対応して縦Ｍ行×横Ｎ列の行列状に配列される。
【００２１】
駆動回路４４は、各走査線４６２に走査信号Ｇ１〜Ｇmを出力することにより各走査線４６２を順次に選択する走査線駆動回路４４１と、走査線４６２の選択に同期してＮ本のデータ線４６４の各々に階調電位ＶGを供給するデータ線駆動回路４４３とを含んで構成される。階調電位ＶGは、外部回路から供給される画像信号ＶIDで指定される階調（すなわち表示画像の各画素値）に応じて可変に設定され、所定の基準電位に対する極性が周期的に反転する。
【００２２】
図２は、各画素回路４８の回路図である。図２に示すように、各画素回路４８は、液晶素子ＣLと選択スイッチ４８７とを含んで構成される。液晶素子ＣLは、相対向する画素電極４８１及び共通電極４８３と両電極間の液晶４８５とで構成された電気光学素子である。画素電極４８１と共通電極４８３との間の印加電圧に応じて液晶４８５の透過率が変化する。
【００２３】
選択スイッチ４８７は、走査線４６２にゲートが接続されたＮチャネル型の薄膜トランジスターで構成され、液晶素子ＣLとデータ線４６４との間に介在して両者の電気的な接続（導通／非導通）を制御する。したがって、画素回路４８（液晶素子ＣL）は、選択スイッチ４８７がオン状態に制御されたときのデータ線４６４の電位（階調電位ＶG）に応じた階調を表示する。なお、液晶素子ＣLに対して並列に接続される補助容量等の図示は省略されている。
このように本実施形態では、電気エネルギーによって光学特性が変化する電気光学素子の一例として液晶素子ＣLを採用する。なお、電気光学素子は有機ＥＬ素子などの自発光素子であってもよい。
【００２４】
図１の制御回路２８は、電気光学パネル２４を制御する表示制御回路５２と、立体視用眼鏡１０を制御する眼鏡制御回路５４を含んで構成される。なお、表示制御回路５２と眼鏡制御回路５４とを単体の集積回路に搭載した構成や、表示制御回路５２と眼鏡制御回路５４とを別体の集積回路に分散した構成が採用され得る。
【００２５】
図３に表示制御回路５２のブロック図を示す。表示制御回路５２は、外部装置から供給される画像データＶＤを記憶するフレームメモリ５２２を備える。このフレームメモリ５２２は、少なくとも２フレーム分の画像データＶＤを記憶することが可能である。また、外部装置から供給される画像データＶＤは１フレームで１枚の右目用画像又は左目用画像を表示可能なデータである。従って、フレームメモリ５２２は、右目用画像及び左目用画像を少なくとも１枚ずつ記憶できる。本実施形態では、１フレーム期間をかけて右目用画像又は左目用画像の画像データＶＤをフレームメモリ５２２に記憶する。そして、電気光学パネル２４は１フレーム期間に３枚の画像を表示する。電気光学パネル２４に１枚の画像を表示する期間をフィールドと称する。即ち、１フレームは３フィールドで構成されており、右目用のフレームでは各フィールドにおいて右目用画像を表示し、左目用のフレームでは各フィールドにおいて左目用画像を表示する。
【００２６】
また、フレームメモリ５２２は、ｎ番目のフレームの画像データを第１画像データＶＤn、ｎ番目のフレームより１つ前のフレームの画像データを第２画像データＶＤn-１としたとき、第１画像データＶＤnと第２画像データＶＤn-１とを同時に読み出す。第１画像データＶＤnは、補正部５２６、第１補正画像データ生成部５２３、及び第２補正画像データ生成部５２４に供給される。
【００２７】
第１補正画像データ生成部５２３は、第１補正テーブルＬＵＴ１を備え、第１補正画像データＶＤxを生成する。第１補正テーブルＬＵＴ１は、第１画像データＶＤn及び第２画像データＶＤn-１と、第１補正画像データＶＤxとを対応づけて記憶している。第１補正画像データＶＤxは、電気光学パネル２４に用いられる液晶の応答特性を補正するために用いられる。
【００２８】
第２補正画像データ生成部５２４は、第２補正テーブルＬＵＴ２を備え、第２補正画像データＶＤｙを生成する。第２補正テーブルＬＵＴ２は、第１画像データＶＤn及び第２画像データＶＤn-１と、第２補正画像データＶＤｙとを対応づけて記憶している。第２補正画像データＶＤｙはクロストークを抑圧するために用いられる。
例えば、第１画像データＶＤnと第２画像データＶＤn-１とが各８ビットで与えられる場合、それらの値は２５６×２５６通りの組み合わせとなる。第１補正テーブルＬＵＴ１のデータ構造は、図４に示される通り、第１画像データＶＤn及び第２画像データＶＤn-１で指定される２５６×２５６の記憶領域に、第１補正画像データＶＤｘ(0,0)、ＶＤｘ(1,0)、…ＶＤｘ(255,255)が記憶されている。なお、第２補正テーブルＬＵＴ２のデータ構造も同様である。
【００２９】
選択部５２５は制御部５２１の制御の下、１フレームの第１番目のフィールドでは第１補正画像データＶＤxを選択し、第２番目及び第３番目のフィールドでは第２補正画像データＶＤｙを選択して補正部５２６に供給する。
補正部５２６は、選択部５２５から出力されるデータを用いて第１画像データＶＤnを補正して出力画像データＶＤoutを生成し、これを電気光学パネル２４に供給する。補正部５２６は、例えば、第１画像データＶＤｎに選択部５２５から出力されるデータを加算して出力画像データＶＤoutを生成する。あるいは、第１画像データＶＤｎから選択部５２５から出力されるデータを減算して出力画像データＶＤoutを生成してもよい。さらには、補正部５２６は、加算、減算、乗算、及び除算を適宜組み合わせて出力画像データＶＤoutを生成してもよい。
【００３０】
上述したように第１補正画像データＶＤxは電気光学パネル２４に用いられる液晶の応答特性を補正する役割を担う。例えば、図５に点線で示すように液晶の印加電圧をステップ状に変化させた場合、液晶の透過率は緩やかに変化し目標値（本来、表示すべき輝度）に漸近する。液晶の透過率が目標値に漸近するまでに時間がかかると、画面が暗くなってしまう。
【００３１】
本実施形態では、第１番目のフィールドが終了する時点で、液晶の透過率が表示すべき輝度となるように第１補正画像データＶＤxの値が定められている。上述したように第１番目のフィールドでは、第１補正画像データＶＤxが選択されるので、出力画像データＶＤoutは、ＶＤout＝ＶＤn＋ＶＤxとなり、液晶の印加電圧と透過率は、図６に示す通り変化する。
【００３２】
また、本実施形態では、クロストークを抑圧するため、各フレームの第１番目のフィールドでは、右眼用シャッター１２及び左眼用シャッター１４を閉状態とする。上述したように、第２補正画像データＶＤｙはクロストークを抑圧するために用いられる。クロストークは、電気光学パネル２４の液晶の応答特性、並びに右眼用シャッター１２及び左眼用シャッター１４の応答特性と関係がある。
【００３３】
電気光学パネル２４では線順次で画像信号の書き込みが行われる。ここで、図７に示すように、右眼用画像を表示するｎフレームの第１番目のフィールドでは、右眼用シャッター１２は閉状態となる。しかし、第１番目のフィールドが終了した時点では、最後に書き込まれたラインでは、液晶が十分に応答していない。このため、右眼用シャッター１２が第２番目のフィールドで開状態となっても、左眼用画像から右眼用画像へと階調が十分変化しない。このように電気光学パネル２４の応答特性がクロストークに影響を与える。
【００３４】
また、第２番目のフィールドでは、右眼用シャッター１２が開状態となるが、シャッターは液晶を用いて構成されるため、第２番目のフィールドの始めから直ちに最大の透過率に達するのではなく、透過率は次第に大きくなる。また、第２番目のフィールドでは、左眼用シャッター１４が閉状態となるが、最小透過率は０％ではなく、右眼用画像が最小透過率に応じた輝度だけ左眼用シャッター１４を透過する。このようにシャッターの動的・静的な応答特性がクロストークに影響を与える。
【００３５】
第２補正画像データＶＤｙは、第２番目のフィールドの開始から第２補正画像データＶＤｙを電気光学パネル２４に供給した場合に、右眼用シャッター１２及び左眼用シャッター１４のうち一方のシャッターを通して電気光学パネル２４に表示される画像を観察した場合に、他方のシャッターを通して観察される画像成分が最小となるように設定されている。具体的には、第１画像データＶＤn及び第２画像データＶＤn-1を取り得る値だけ変化させ、他方のシャッターを通して観察される画像成分が最小となるように第２補正画像データＶＤｙを定め、第１画像データＶＤn及び第２画像データＶＤn-1と対応づけて第２補正画像データＶＤｙを第２補正テーブルＬＵＴ２に格納する。
【００３６】
上述したように、選択部５２５は、第２番目のフィールド以降は、第２補正画像データＶＤｙを出力する。このため、図７に示すように第２フィールド以降において、出力画像データＶＤoutは、ＶＤout＝ＶＤn＋ＶＤｙとなる。但し、ＶＤｙは図７における例示では負の値である。
【００３７】
このように、本実施形態では、第１補正画像データＶＤｘによって輝度を確保し、第２補正画像データＶＤｙによってクロストークを抑圧した。この結果、右眼用画像と左眼用画像との混在が利用者に知覚されることを抑制しながら表示画像の明るさを向上させることができる。
【００３８】
また、第１補正画像データ生成部５２３と第２補正画像データ生成部５２４とを独立して設けた。上述したように第１補正画像データＶＤｘは、電気光学パネル２４に固有の液晶の特性に応じて設定される。一方、第２補正画像データＶＤｙは右眼用シャッター１２及び左眼用シャッター１４の動的・静的な応答特性を加味して定める必要がある。従って、別の種類の立体視用眼鏡１０を用いる場合には、第２補正画像データ生成部５２４のみを変更すれば良い。具体的には、第２補正テーブルＬＵＴ２を変更すれば他の種類の立体視用眼鏡１０に対応することができる。よって、自由度の高い電子機器Ｅを構成することができる。
【００３９】
＜２．第２実施形態＞
上述した第１実施形態において、第２補正画像データ生成部５２４は、１種類の立体視用眼鏡１０に対応するものであった。これに対して、第２実施形態の電子機器Ｅは、複数種類の立体視用眼鏡１０に対応するものであり、表示制御回路５２の替わりに図８に示す表示制御回路５２Ａを用いる点を除いて第１実施形態の電子機器Ｅと同様に構成されている。
【００４０】
表示制御回路５２Ａにおいて、第２補正テーブルＬＵＴ２は、ｋ（ｋは２以上の整数）個の個別補正テーブルＬＵＴ２１、ＬＵＴ２２、…ＬＵＴ２ｋを備える。ｋ個の第２補正テーブルＬＵＴ２１、ＬＵＴ２２、…ＬＵＴ２ｋは、ｋ種類の立体視用眼鏡１０に各々対応している。立体視用眼鏡１０からは、その種類を識別する識別信号ＩＤが送信される。制御部５２１Ａは、識別信号ＩＤに基づいて選択信号ＳＥＬを生成する。
第２補正画像データ生成部５２４Ａは、制御部５２１Ａから供給される選択信号ＳＥＬに基づいて、ｋ個の個別補正テーブルＬＵＴ２１、ＬＵＴ２２、…ＬＵＴ２ｋの一つを選択し、選択した個別補正テーブルを用いて第２補正画像データＶＤｙを生成する。なお、制御部５２１Ａは識別信号ＩＤを選択信号ＳＥＬとして出力してもよい。要は、第２補正画像データ生成部５２４Ａは、識別信号ＩＤに応じて複数の個別補正テーブルＬＵＴ２１〜ＬＵＴ２ｋの中から対応する一つの個別補正テーブルを選択できのであれば、どのような方法を用いてもよい。
このように第２実施形態によれば、立体視用眼鏡１０の種類が変更されても、これに対応する第２補正画像データＶＤｘを生成することができる。これにより、より一層、自由度の高い電子機器Ｅを構成することができる。
【００４１】
＜３．第３実施形態＞
上述した第１実施形態において、第２補正画像データ生成部５２４は、ある温度に対応する第２補正テーブルＬＵＴ２を備えるものであった。これに対して、第３実施形態の電子機器Ｅは、複数の温度に対応する個別補正テーブルＬＵＴ３１、ＬＵＴ３２、…ＬＵＴ３ｋを備える。
図９に第３実施形態に係る表示制御回路５２Ｂを示す。表示制御回路５２Ｂにおいて、第２補正テーブルＬＵＴ２は、ｋ（ｋは２以上の整数）個の個別補正テーブルＬＵＴ３１、ＬＵＴ３２、…ＬＵＴ３ｋを備える。ｋ個の個別補正テーブルＬＵＴ３１、ＬＵＴ３２、…ＬＵＴ３ｋは、ｋ種類の温度に各々対応している。
温度センサー５２７は温度を検出し、温度を示す温度信号を制御部５２１に供給する。制御部５２１Ｂは、温度信号に基づいて選択すべき個別補正テーブルＬＵＴ３１、ＬＵＴ３２、…ＬＵＴ３ｋを指定する選択信号ＳＥＬを生成する。
第２補正画像データ生成部５２４Ｂは、制御部５２１Ｂから供給される選択信号ＳＥＬに基づいて、ｋ個の個別補正テーブルＬＵＴ３１、ＬＵＴ３２、…ＬＵＴ３ｋの一つを選択し、選択した個別補正テーブルを用いて第２補正画像データＶＤｙを生成する。
なお、温度信号を第２補正画像データ生成部５２４Ｂに供給し、第２補正画像データ生成部５２４Ｂは、温度信号の示す温度に近い２つの個別補正テーブルを選択し、温度に応じた補間処理を実行することによって、第２補正画像データＶＤｙを生成してもよい。
このように第３実施形態によれば、温度が変化しても、これに対応する第２補正画像データＶＤｘを生成することができる。これにより、温度が変化しても高品質の画像を表示することが可能となる。
【００４２】
＜４．変形例＞
以上の形態は多様に変形され得る。具体的な変形の態様を以下に例示する。以下の例示から任意に選択された２以上の態様は適宜に併合され得る。
【００４３】
（１）上述した各実施形態では、第１補正テーブルＬＵＴ１を用いて、第１補正画像データＶＤｘを生成したが本発明はこれに限定されるものではなく、演算によって第１補正画像データＶＤｘを生成してもよい。第１補正画像データ生成部５２３は、第１番目のフィールドの開始から第１補正画像データＶＤｘを電気光学パネル２４に供給した場合に、第１番目のフィールドが終了した時点で液晶の光学特性が、第１画像データＶＤnの示す階調に応じた値となるように、第１画像データＶＤn及び第２画像データＶＤn-1をパラメータとする演算を実行して、第１補正画像データＶＤｙを生成する。この演算は、液晶の応答特性に対応する定数を含むことが好ましい。
【００４４】
（２）上述した各実施形態では、第２補正テーブルＬＵＴ２（ＬＵＴ２１〜ＬＵＴ２ｋ）を用いて、第２補正画像データＶＤｙを生成したが本発明はこれに限定されるものではなく、演算によって第２補正画像データＶＤｙを生成してもよい。第２補正画像データ生成部５２４（５２４Ａ）は、第２番目のフィールドの開始から第２補正画像データＶＤｙを電気光学パネル２４に供給した場合に、右眼用シャッター１２及び左眼用シャッター１４のうち一方のシャッターを通して電気光学パネル２４で表示される画像を観察した場合に、他方のシャッターを通して観察される画像成分が最小となるように、第１画像データＶＤn及び第２画像データＶＤn-1をパラメータとする演算を実行して第２補正画像データＶＤｙを生成する。この演算においては、電気光学パネル２４の液晶の応答特性、右眼用シャッター１２及び左眼用シャッター１４の最小透過率や応答遅延などの応答特性などの少なくとも一つを定数として含むことが好ましい。
なお、ｋ種類の立体視用眼鏡１０に対応する場合は、上述した定数をパラメータとし、立体視用眼鏡１０の種類に応じて切り替えればよい。
【００４５】
（３）上述した各実施形態では、１フレームを３個のフィールドで構成したが、本発明はこれに限定されるものではなく、１フレームが２個以上のフィールドで構成されるのであれば良い。この場合にも、第１番目のフィールドでは第１補正画像データＶＤｘが選択され、第２番目以降のフィールドで第２補正画像データＶＤｙが選択される。
【００４６】
（４）上述した各実施形態では、右眼用シャッター１２及び左眼用シャッター１４の一方は、第１番目のフィールドと第２番目のフィールドの境界で閉状態から開状態に変化したが、本発明はこれに限定されるものではなく、多少はずれてもよい。例えば、閉状態から開状態に変化するタイミングは、第１番目のフィールドの半分より後半から第２番目のフィールドの半分より前半までの期間に含まれていればよい。
【００４７】
（５）上述した第２実施形態では、立体視用眼鏡１０から識別信号ＩＤを受け取って、個別補正テーブルＬＵＴ２１〜ＬＵＴ２ｋを切り替えたが、本発明はこれに限定されるものではなく、識別信号ＩＤを受信しなくてもよい。この場合には、利用者が操作可能な切り換えスイッチ（例えば、リモコン）を用いて、個別補正テーブルＬＵＴ２１〜ＬＵＴ２ｋを選択してもよい。
また、識別信号ＩＤは、立体視用眼鏡１０の種類を特定できればよいので、右眼用シャッター１２及び左眼用シャッター１４の最小透過率や遅延特性などの応答特性を数値で示した情報であってもよい。この場合は、制御部５２１Ａが、これらの情報に基づいて個別補正テーブルを指定する選択信号ＳＥＬを生成すればよい。
さらに、第２補正画像データ生成部は、立体視用眼鏡から、右眼用シャッター１２及び左眼用シャッター１４の応答特性に関する情報を取得し、取得した情報と第１画像データＶＤn及び第２画像データＶＤn-1とをパラメータとする演算を実行して第２補正画像データＶＤｙを生成してもよい。この場合には、性能が改善された立体視用眼鏡１０が後から開発された場合にも、これに対応して第２補正画像データＶＤｙを生成することができる。
【００４８】
＜５．応用例＞
以上の各形態に例示した電気光学装置２０は、各種の電子機器に利用され得る。
図１０は、電気光学装置２０を採用した可搬型のパーソナルコンピュータの斜視図である。パーソナルコンピュータ２０００は、各種の画像を表示する電気光学装置２０と、電源スイッチ２００１やキーボード２００２が設置された本体部２０１０とを具備する。このパーソナルコンピュータ２０００は、図示せぬ立体視用眼鏡１０を使用することによって、立体視が可能となっている。
【００４９】
図１１は、電気光学装置２０を適用した投射型表示装置（３板式のプロジェクタ）４０００の模式図である。投射型表示装置４０００は、相異なる表示色（赤色，緑色，青色）に対応する３個の電気光学パネル２４（２４R，２４G，２４B）と図示しない制御回路とを含んで構成される。照明光学系４００１は、照明装置（光源）４００２からの出射光のうち赤色成分ｒを電気光学パネル２４Rに供給し、緑色成分ｇを電気光学パネル２４Gに供給し、青色成分ｂを電気光学パネル２４Bに供給する。各電気光学パネル２４は、照明光学系４００１から供給される各単色光を表示画像に応じて変調する光変調器（ライトバルブ）として機能する。投射光学系４００３は、各電気光学パネル２４からの出射光を合成して投射面４００４に投射する。この場合、本発明に係る表示部は、投射光学系４００３を含む。そして、第２補正画像データＶＤｙは、スクリーン４００４に投射された画像を右眼用シャッター１２及び左眼用シャッター１４を通して観察した場合に、クロストークが最小となるように定めればよい。
【００５０】
なお、本発明に係る電気光学装置が適用される電子機器としては、図１０及び図１１に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，テレビ電話，ＰＯＳ端末，ビデオプレーヤ，タッチパネルを備えた機器等などが挙げられる。
【符号の説明】
【００５１】
１０…立体視用眼鏡、１２…右眼用シャッター１２…左眼用シャッター、２０…電気光学装置、２４…電気光学パネル、２８…制御回路、５２…表示制御回路、５２１…制御部、５２２…フレームメモリ、５２３…第１補正画像データ生成部、５２４…第２補正画像データ生成部、５２５…選択部、５２６…補正部、ＶＤn…第１画像データ、ＶＤn-1…第２画像データ、ＬＵＴ１…第１補正テーブル、ＬＵＴ２…第２補正テーブル、ＬＵＴ２１〜ＬＵＴ２ｋ…個別補正テーブル、ＶＤｘ…第１補正画像データ、ＶＤｙ…第２補正画像データ。
【図１】
0005673142.tif 000002
【図２】
0005673142.tif 000003
【図３】
0005673142.tif 000004
【図４】
0005673142.tif 000005
【図５】
0005673142.tif 000006
【図６】
0005673142.tif 000007
【図７】
0005673142.tif 000008
【図８】
0005673142.tif 000009
【図９】
0005673142.tif 000010
【図１０】
0005673142.tif 000011
【図１１】
0005673142.tif 000012